【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  複数の第１ネットワーク加入者ユニットおよび当該第１ネットワーク加入者ユニットと無線通信が可能な第１ネットワークシンクノードユニットを備えた第１ネットワークと、
前記第１ネットワークに地理的に少なくとも部分的に重複し、複数の第２ネットワーク加入者ユニットおよび当該第２ネットワーク加入者ユニットと無線通信が可能な第２ネットワークシンクノードユニットを備えた第２ネットワークと、
前記第１ネットワークシンクノードユニットと前記第２ネットワーク内の通信が可能な第２ネットワークユニットとのあいだの専用接続であって、それにより第１ネットワーク加入者ユニットが他の第２ネットワークユニットへの通信経路を備え得る専用接続
とからなる通信システム。
【請求項２】  前記第１ネットワーク内の無線通信が、前記第２ネットワーク内の無線通信と独立している請求項１記載の通信システム。
【請求項３】  前記第１ネットワーク内の無線通信が、前記第２ネットワーク内の無線通信と異なる周波数帯域による請求項２記載の通信システム。
【請求項４】  前記第１ネットワークが、複数の第１ネットワークシンクノードユニットを備え、当該第１ネットワークシンクノードユニットを用いて前記第１ネットワーク加入者ユニットが無線通信をすることが可能である請求項１、２または３記載の通信システム。
【請求項５】  複数の専用接続を備え、各専用接続が各第１ネットワークシンクノードユニットと各第２ネットワークユニットとのあいだにあり、それにより、第１ネットワーク加入者ユニットが他の第２ネットワークユニットへの通信経路を備え得る請求項４記載の通信システム。
【請求項６】  前記第２ネットワークに地理的に重複し、複数の第３ネットワーク加入者ユニットおよび主要な当該第３ネットワーク加入者ユニットと無線通信が可能な第３ネットワークシンクノードユニットを備えた第３ネットワークと、
前記第２ネットワークシンクノードユニットと前記第３ネットワーク内の通信が可能な第３ネットワークユニットとのあいだの専用接続であって、それにより第２ネットワーク加入者ユニットが他の第３ネットワークユニットへの通信経路を備え得る専用接続
とを備えてなる請求項１、２、３、４または５記載の通信システム。
【請求項７】  前記第１ネットワーク内および前記第２ネットワーク内の無線通信が、前記第３ネットワーク内の無線通信と独立している請求項６記載の通信システム。
【請求項８】  前記第１ネットワーク内および第２ネットワーク内の無線通信が、前記第３ネットワーク内の無線通信と異なる周波数帯域による請求項７記載の通信システム。
【請求項９】  前記第２ネットワークが、複数の第２ネットワークシンクノードユニットを備え、当該第２ネットワークシンクノードユニットを用いて前記第２ネットワーク加入者ユニットが無線通信をすることが可能である請求項１、２、３、４、５、６、７または８記載の通信システム。
【請求項１０】  複数の専用接続を備え、各専用接続が各第２ネットワークシンクノードユニットと各第３ネットワークユニットとのあいだにあり、それにより、第２ネットワーク加入者ユニットが他の第３ネットワークユニットへの通信経路を備え得る請求項６に直接または非直接に従属する請求項９記載の通信システム。
【請求項１１】  前記通信がデータ通信である請求項１、２、３、４、５、６、７、８、９または１０記載の通信システム。
【請求項１２】  前記通信がパケットデータ通信である請求項１１記載の通信システム。
【請求項１３】  前記通信がインターネットプロトコルを用いる請求項１、２、３、４、５、６、７、８、９、１０、１１または１２記載の通信システム。
【請求項１４】  前記第１ネットワーク内の通信が無線通信である請求項１、２、３、４、５、６、７、８、９、１０、１１、１２または１３記載の通信システム。
【請求項１５】  前記第２ネットワーク内の通信が無線通信である請求項１、２、３、４、５、６、７、８、９、１０、１１、１２、１３または１４記載の通信システム。
【請求項１６】  前記第３ネットワーク内の通信が無線通信である請求項６に直接的または間接的に従属された請求項７、８、９、１０、１１、１２、１３、１４または１５記載の通信システム。
【請求項１７】  複数の第１ネットワーク加入者ユニットを備えた第１ネットワークと、前記第１ネットワークに地理的に少なくとも部分的に重複し、複数の第２ネットワーク加入者ユニットおよび当該第２ネットワーク加入者ユニットと無線通信が可能な第２ネットワークシンクノードユニットを備えた第２ネットワークとを含む通信システム内の作動のための通信ユニットであり、
当該通信ユニットが、前記第１ネットワーク加入者ユニットと無線通信が可能な第１ネットワークシンクノードユニットとして作動可能であり、前記第２ネットワーク内の通信が可能な第２ネットワークユニットへの専用接続であって、それにより第１ネットワーク加入者ユニットが他の第２ネットワークユニットへの通信経路を備え得る専用接続を有する、通信システム内の作動のための通信ユニット。
【請求項１８】  複数の第１ネットワーク加入者ユニットおよび当該第１ネットワーク加入者ユニットと無線通信が可能な第１ネットワークシンクノードユニットを備えた第１ネットワークと、
前記第１ネットワークに地理的に少なくとも部分的に重複し、複数の第２ネットワーク加入者ユニットおよび当該第２ネットワーク加入者ユニットと無線通信が可能な第２ネットワークシンクノードユニットを備えた第２ネットワークとを備えた通信システム内の通信経路を提供するための方法であり、
前記第１ネットワークシンクノードユニットと前記第２ネットワーク内の通信が可能な第２ネットワークユニットとのあいだの専用接続であって、それにより第１ネットワーク加入者ユニットが他の第２ネットワークユニットへの通信経路を備え得る専用接続を提供する、通信システム内の通信経路を提供するための方法。
【請求項１９】  第１シンクノードと該第１シンクノードと無線通信可能な複数の第１通信ターミナルを含む第１ネットワークと、
該第１ネットワークと少なくとも部分的に地理的に重複しており、第２シンクノードと該第２シンクノードおよび該第２シンクノードと無線通信可能な複数の第２通信ターミナルを含む第２ネットワーク階層
とを備えており、前記第１シンクノードが第２通信ターミナルとして作動可能であり、第１通信ターミナルに第２ネットワークへの通信アクセスを提供する通信ネットワーク。
【請求項２０】  第１ネットワーク内の無線通信が第２ネットワーク内の無線通信と独立している請求項１９記載の通信システム。
【請求項２１】  第１ネットワーク内の無線通信が第２ネットワーク内の無線通信と異なる周波数帯による請求項２０記載の通信システム。
【請求項２２】  前記第１ネットワークが、第１通信ターミナルの無線通信を可能にする、複数の第１ネットワークのシンクノードユニットを含んでいる請求項１９または２０記載の通信システム。
【請求項２３】  複数の専用接続を有しており、各専用接続が各第１ネットワークのシンクノードユニットと各第２ネットワークのシンクノードユニットのあいだにあり、それにより、第１ネットワークの通信ターミナルに第２ネットワークへの通信アクセスが提供される前記２２請求項記載の通信システム。
【請求項２４】  地理的に少なくとも第２ネットワークと重複しており、複数の第３ネットワークの通信ターミナルおよび主要な第３ネットワークユニットと無線通信可能な第３ネットワークのシンクノードユニットを含む第３ネットワークと、
第２ネットワークのシンクノードユニットと第３ネットワーク内で通信可能な第３ネットワークユニットのあいだにあり、それにより第２ネットワークの通信ターミナルに第３ネットワークへの通信アクセスを提供する専用接続
とを含む請求項１９、２０、２１、２２または２３記載の通信システム。
【請求項２５】  前記第１ネットワークおよび第２ネットワーク内の無線通信が第３ネットワーク内の無線通信と独立している請求項２４記載の通信システム。
【請求項２６】  前記第１ネットワークおよび第２ネットワーク内の無線通信が第３ネットワーク内の無線通信と周波数帯が異なる請求項２５記載の通信システム。
【請求項２７】  前記第２ネットワークが、第２ネットワークの通信ターミナルが無線通信可能な複数の第２ネットワークのシンクノードユニットを含んでいる請求項１９、２０、２１、２２、２３、２４、２５または２６記載の通信システム。
【請求項２８】  複数の専用接続を含んでおり、各専用接続が各第２ネットワークのシンクノードユニットと各第３ネットワークのユニットのあいだにあり、それにより第２ネットワークの通信ターミナルに第３ネットワークへの通信アクセスが提供される請求項２４に直接または間接的に従属する請求項２７記載の通信システム。
【請求項２９】  前記通信がデータ通信である請求項１９、２０、２１、２２、２３、２４、２５、２６、２７または２８記載の通信システム。
【請求項３０】  前記通信がパケットデータ通信である請求項２９記載の通信システム。
【請求項３１】  前記通信がインターネットプロトコルを使用する請求項１９、２０、２１、２２、２３、２４、２５、２６、２７、２８、２９または３０記載の通信システム。
【請求項３２】  前記第１ネットワーク内の通信が無線通信である請求項１９、２０、２１、２２、２３、２４、２５、２６、２７、２８、２９、３０または３１記載の通信システム。
【請求項３３】  前記第２ネットワーク内での通信が無線通信である請求項１９、２０、２１、２２、２３、２４、２５、２６、２７、２８、２９、３０、３１または３２記載の通信システム。
【請求項３４】  前記第３ネットワーク内での通信が無線通信である請求項２４に直接または間接的に従属する請求項２５、２６、２７、２８、２９、３０、３１、３２または３３記載の通信システム。
【請求項３５】  複数の第１通信ターミナルを含む第１ネットワークと、
該第１ネットワークと地理的に少なくとも部分的に重複しており、第２シンクノードおよび該第２シンクノードと無線通信可能な複数の第２通信ターミナルを含む第２ネットワークとを備えた通信システム上で作動するための通信ユニットであって、
該通信ユニットが、第１シンクノードとして第１通信ターミナルと無線通信可能であり、第１通信ターミナルに第２ネットワークへの通信アクセスを提供する第２通信ターミナルとして作動可能な第１シンクノードとして作動可能である、通信ユニット。
【請求項３６】  前記第１ネットワーク内の無線通信が、前記第２ネットワーク内の無線通信と独立している請求項３５記載の通信ユニット。
【請求項３７】  前記第１ネットワーク内の無線通信が、前記第２ネットワーク内の無線通信と異なる周波数帯域による請求項３６記載の通信ユニット。
【請求項３８】  前記第１ネットワークが、複数の第１ネットワークシンクノードユニットを備え、当該第１ネットワークシンクノードユニットを用いて前記第１ネットワーク加入者ユニットが無線通信をすることが可能である請求項３５、３６または３７記載の通信ユニット。
【請求項３９】  複数の専用接続を備え、各専用接続が各第１ネットワークシンクノードユニットと各第２ネットワークユニットとのあいだにあり、それにより、第１ネットワーク加入者ユニットが他の第２ネットワークユニットへの通信経路を備え得る請求項３８記載の通信ユニット。
【請求項４０】  前記第２ネットワークに地理的に重複し、複数の第３ネットワーク加入者ユニットおよび主要な当該第３ネットワークユニットと無線通信が可能な第３ネットワークシンクノードユニットを備えた第３ネットワークと、
前記第２ネットワークシンクノードユニットと前記第３ネットワーク内の通信が可能な第３ネットワークユニットとのあいだの専用接続であって、それにより第２ネットワーク加入者ユニットが他の第３ネットワークユニットへの通信経路を備え得る専用接続
とを備えてなる請求項３５、３６、３７、３８または３９記載の通信ユニット。
【請求項４１】  前記第１ネットワーク内および前記第２ネットワーク内の無線通信が、前記第３ネットワーク内の無線通信と独立している請求項４０記載の通信システム。
【請求項４２】  前記第１ネットワーク内および第２ネットワーク内の無線通信が、前記第３ネットワーク内の無線通信と異なる周波数帯域による請求項４１記載の通信ユニット。
【請求項４３】  前記第２ネットワークが、複数の第２ネットワークシンクノードユニットを備え、当該第２ネットワークシンクノードユニットを用いて前記第２ネットワーク加入者ユニットが無線通信をすることが可能である請求項３５、３６、３７、３８、３９、４０、４１または４２記載の通信ユニット。
【請求項４４】  複数の専用接続を備え、各専用接続が各第２ネットワークシンクノードユニットと各第３ネットワークユニットとのあいだにあり、それにより、第２ネットワーク加入者ユニットが他の第３ネットワークユニットへの通信経路を備え得る請求項４０に直接または非直接に従属する請求項４３記載の通信ユニット。
【請求項４５】  前記通信がデータ通信である請求項３５、３６、３７、３８、３９、４０、４１、４２、４３または４４記載の通信ユニット。
【請求項４６】  前記通信がパケットデータ通信である請求項４５記載の通信ユニット。
【請求項４７】  前記通信がインターネットプロトコルを用いる請求項３５、３６、３７、３８、３９、４０、４１、４２、４３、４４、４５または４６記載の通信ユニット。
【請求項４８】  前記第１ネットワーク内の通信が無線通信である請求項３５、３６、３７、３８、３９、４０、４１、４２、４３、４４、４５、４６または４７記載の通信ユニット。
【請求項４９】  前記第２ネットワーク内の通信が無線通信である請求項３５、３６、３７、３８、３９、４０、４１、４２、４３、４４、４５、４６、４７または４８記載の通信ユニット。
【請求項５０】  前記第３ネットワーク内の通信が無線通信である請求項４０に直接的または間接的に従属された請求項４１、４２、４３、４４、４５、４６、４７、４８または４９記載の通信ユニット。
【請求項５１】  複数の第１通信ターミナルを含む第１ネットワークと、
該第１ネットワークと地理的に少なくとも部分的に重複しており、第２シンクノードおよび該第２シンクノードと無線通信可能な複数の第２通信ターミナルを含む第２ネットワークとを備えた通信システム上の通信ユニットの作動方法であって、
該方法が、第１シンクノードとして第１通信ターミナルと無線通信可能な通信ユニットの作動と、第１通信ターミナルに第２ネットワークへの通信アクセスを提供する第２通信ターミナルとしての通信ユニットを作動とを含む通信ユニットの作動方法。